(57)【要約】【課題】ネットワークアクセスポイントとネットワークアクセスコントローラとの間のチャネルに対するフレーム送信間隔を決定する方法を提供する。【解決手段】本発明は、ネットワークアクセスコントローラ上でフレーム送信間隔値を決定する段階と、決定されたフレーム送信間隔値をネットワークアクセスコントローラからネットワークアクセスポイントに送信する段階と、ネットワークアクセスポイント上においてこのフレーム送信間隔値を受信する段階と、を含む。【選択図】図２
2010268523.tif 000002
【特許請求の範囲】
【請求項１】
ネットワークアクセスコントローラとネットワークアクセスポイントとの間のチャネルについてのフレーム送信間隔を決定する方法であって、
前記方法は、前記ネットワークアクセスポイントにおいて、
前記チャネルについての少なくとも１つのデフォルトフレーム送信間隔値を格納し、
前記チャネルについてフレーム送信間隔値を受信し、
前記受信したフレーム送信間隔値又は前記少なくとも１つのデフォルトフレーム送信間隔値のいずれかを選択的に適用する
段階を含み、
受信された前記フレーム送信間隔値が前記ネットワークアクセスポイントとユーザ装置との間において用いられるフレーム送信間隔に等しいか又は該フレーム送信間隔よりも長いフレーム送信間隔を示すものである、ことを特徴とする方法。
【発明の詳細な説明】
【技術分野】
【０００１】
本発明は、通信システムのアクセスネットワークにおける送信速度に関する。
【背景技術】
【０００２】
モバイル通信システムは、ユーザ端末がシステム機能にアクセスすることを可能にするために、アクセスネットワークが設けられたシステムの例である。
【０００３】
ユニバーサル・モバイル・テレコミュニケーションズ・システム（ＵＭＴＳ）において、無線アクセスネットワークは、典型的には、ユーザ機器に対するモバイル通信システムコアネットワークへのアクセスを提供する。このユーザ機器は、典型的には、無線インタフェース上でアクセスネットワークと通信し、このアクセスネットワークは、複数のノードＢ、或いは、より一般的にはアクセスポイントを有し、これらに対してユーザ機器が接続を確立する。ノードＢのそれぞれは、無線ネットワークコントローラ、或いは、より一般的にはネットワークアクセスコントローラに接続される。
【０００４】
ノードＢを介して、ユーザ機器から無線ネットワークコントローラへのアップリンクトラフィックのために、専用チャネル（ＤＣＨ）が提供される。このチャネルについてのフレーム送信間隔が定義される。このフレーム送信間隔は１０ｍｓである。
【０００５】
３ＧＰＰ  ＴＳＧ−ＲＡＮにおいては、拡張ＤＣＨ、Ｅ−ＤＣＨが提案されている。このＥ−ＤＣＨを提案するにあたっては、２ｍｓという、より短いフレーム送信間隔を設けるための議論がなされている。
【発明の概要】
【発明が解決しようとする課題】
【０００６】
上記のより短いフレーム送信間隔は、全ての無線アクセスネットワーク要素によってサポートされるものではなく、それゆえ、Ｅ−ＤＣＨの導入は現存のシステム及び技術との広範な互換性がない、という点において問題が生じる。
【０００７】
この拡張ＤＣＨアップリンクトランスポートチャネルの制御又は構成に対する改善を提供することが、本発明の目的である。
【課題を解決するための手段】
【０００８】
本発明の一つの側面によれば、ネットワークアクセスコントローラとネットワークアクセスポイントとの間のチャネルについてのフレーム送信間隔を決定する方法が提供され、この方法は、前記ネットワークアクセスポイントにおいて、前記チャネルに対する少なくとも１つのデフォルトフレーム送信間隔値を格納し、前記チャネルについてフレーム送信間隔値を受信し、前記受信したフレーム送信間隔値又は前記少なくとも１つのデフォルトフレーム送信間隔値のいずれかを選択的に適用する段階からなる。このチャネルは、好ましくは、拡張専用チャネル（Ｅ−ＤＣＨ）トランスポートチャネルである。
【０００９】
本方法は、好ましくは、モバイル通信システム、より好ましくはＵＭＴＳシステムにおいて実施される。ネットワークアクセスポイントは、好ましくはノードＢであり、ネットワークアクセスコントローラは、無線ネットワークコントローラである。
【００１０】
フレーム送信間隔値を受信する段階は、ネットワークアクセスコントローラからの値を受信することを含む。
【００１１】
フレーム送信間隔値を受信する段階は、ＮＢＡＰ／ＲＮＳＡＰプロトコルメッセージにおける値を受信することを含む。フレーム送信間隔値を受信する段階は、ＮＢＡＰメッセージの情報ＩＥグループにおける値を受信することを含む。フレーム送信間隔値は、ＮＢＡＰメッセージの拡張専用チャネル情報ＩＥグループのパラメータとすることができる。
【００１２】
少なくとも１つのフレーム送信間隔デフォルト値を適用する段階に応答して、本方法は、適用されたデフォルト値を送信する段階をさらに含むことができる。適用されたデフォルト値を送信する段階は、前記値を前記ネットワークアクセスコントローラへ送信することを含むことができる。
【００１３】
デフォルト値を送信する段階は、前記デフォルト値をＮＢＡＰ応答メッセージのパラメータとして送信することを含むことができる。デフォルト値を送信する段階は、デフォルト値をＮＢＡＰ返答メッセージの拡張ＤＣＨ特定部分のパラメータとして送信することを含む。
【００１４】
さらに別の面において、本発明は、ネットワークアクセスコントローラとネットワークアクセスポイントとの間のチャネルについてのフレーム送信間隔を決定する方法を与えもので、この方法は、前記ネットワークアクセスコントローラにおいて、フレーム送信間隔値を決定し、前記決定されたフレーム送信間隔をネットワークアクセスポイントへ送信することを含む。このチャネルは、好ましくは、トランスポートチャネル、より好ましくは、拡張ＤＣＨトランスポートチャネルである。
【００１５】
フレーム送信間隔値を決定する段階は、その値を複数のフレーム送信間隔値から選択する段階を含むことができる。前記複数のフレーム送信間隔値は、複数の所定値を含むことができる。
【００１６】
フレーム送信間隔値を決定する段階は、ネットワークアクセスポイントとユーザ機器との間のインタフェースにおける何れの値からも独立させることができる。
【００１７】
フレーム送信間隔値を決定する段階は、確立されるべき通信セッションの特性に依存するものとすることができる。
【００１８】
フレーム送信間隔値を決定する段階は、処理リソースの能力及び／又はネットワークアクセスコントローラにおける容量に依存するものとすることができる。
【００１９】
決定されたフレーム送信間隔をネットワークアクセスポイントへ送信する段階は、ＮＢＡＰ／ＲＮＳＡＰプロトコルメッセージにおける前記値を送信することを含むことができる。決定されたフレーム送信間隔をネットワークアクセスポイントへ送信する段階は、ＮＢＡＰメッセージの情報ＩＥグループ、又は、等価ＩＥ、又は、ＮＢＡＰメッセージのＩＥグループ、における前記値を送信することを含む。フレーム送信間隔値は、ＮＢＡＰメッセージの情報ＩＥグループのパラメータ、又は、等価ＩＥもしくはＮＢＡＰメッセージのＩＥグループにおけるパラメータとすることができる。
【００２０】
本方法は、前記送信段階の後、ネットワークアクセスポイントから、決定された値に優先するデフォルトフレーム送信間隔値の通知を受信する段階をさらに含むことができる。
【００２１】
デフォルト値を受信する段階は、ＮＢＡＰ返答メッセージにおけるパラメータを受信する段階を含むことができる。デフォルト値は、ＮＢＡＰ返答メッセージの拡張ＤＣＨに特定される部分についてのパラメータとして受信することができる。
【００２２】
別の面において、本発明は、ネットワークアクセスポイントとネットワークアクセスコントローラとの間のチャネルについてのフレーム送信間隔を決定する方法を与えるもので、この方法は、前記ネットワークアクセスコントローラにおいてフレーム送信間隔値を決定する段階と、前記決定されたフレーム送信間隔値を前記ネットワークアクセスコントローラから前記ネットワークアクセスポイントへ送信する段階と、前記ネットワークアクセスポイントにおいて前記フレーム送信間隔値を受信する段階とを含むものである。このチャネルは、好ましくは、トランスポートチャネルである。
【００２３】
フレーム送信間隔値を決定する段階は、複数のフレーム送信間隔値からの前記値を選択する段階を含むことができる。
【００２４】
本方法は、ネットワークアクセスポイント上で、チャネルについての少なくとも１つのデフォルトフレーム送信間隔値を格納し、受信されたフレーム送信間隔値、又は、少なくとも１つのデフォルトフレーム送信間隔値の何れか１つを選択的に適用する段階をさらに含むことができる。
【００２５】
このチャネルは、好ましくは、拡張ＤＣＨトランスポートチャネルである。
【００２６】
さらに別の側面においては、ネットワークアクセスポイントとネットワークアクセスコントローラとの間のチャネルを確立するセットアップメッセージ、又は、ネットワークアクセスポイントとネットワークアクセスコントローラとの間のチャネルを再構成する再構成メッセージが本発明により提供され、このセットアップメッセージは、チャネルに対するネットワークアクセスコントローラによって選択されたフレーム送信間隔を識別するフィールドを含む。
【００２７】
このセットアップメッセージは、ＮＢＡＰ／ＲＮＳＡＰプロトコルメッセージからなり、チャネルについてネットワークアクセスコントローラによって選択されたフレーム送信間隔を識別するフィールドが、情報要素の中に含まれるようにすることが好ましい。
【００２８】
さらなる側面においては、チャネルに対するネットワークアクセスコントローラによって選択されたフレーム送信間隔を識別するフィールドを含み、ネットワークアクセスポイントとネットワークアクセスコントローラとの間のチャネルを確立する応答メッセージが本発明により提供される。
【００２９】
この応答メッセージは、ＮＢＡＰ／ＲＮＳＡＰプロトコルメッセージからなり、チャネルに対するネットワークアクセスコントローラによって選択されたフレーム送信間隔を識別するフィールドが、メッセージの拡張専用物理チャネルに特定される部分の中に含まれる。
【００３０】
このチャネルは、好ましくは、拡張専用物理トランスポートチャネルである。
【００３１】
別の局面において、本発明は、ネットワークアクセスコントローラとネットワークアクセスポイントとの間のチャネルに対するフレーム送信間隔を決定するのに適合したネットワークアクセスポイントを与え、本ネットワークアクセスポイントは、前記チャネルに対する少なくとも１つのデフォルトフレーム送信間隔値を格納するための格納手段と、前記チャネルに対するフレーム送信間隔値を受信するための受信手段と、前記受信されたフレーム送信間隔値、又は、前記少なくとも１つのデフォルトフレーム送信間隔値の何れかを選択的に適用するための選択手段とを備えたことを特徴とする。
【００３２】
ネットワークアクセスポイントは、モバイル通信システムのノードＢからなり、前記ネットワークアクセスコントローラは無線ネットワークコントローラであることが好ましい。
【００３３】
ここで、受信手段は、ネットワークアクセスコントローラから前記値を受信するように適合していることを特徴とする。
【００３４】
また、ネットワークアクセスポイントは、少なくとも１つのフレーム送信間隔デフォルト値を適用する選択手段に応答して、適用されたデフォルト値を送信するための送信手段をさらに備えるものとすることができる。
【００３５】
本発明は、さらになお、ネットワークアクセスコントローラとネットワークアクセスポイントとの間のチャネルに対するフレーム送信間隔を決定するように適合され、フレーム送信間隔値を決定するための決定手段と、前記決定したフレーム送信間隔を前記ネットワークアクセスポイントへ送信するための送信手段とを備えるネットワークアクセスコントローラを提供する。
【００３６】
決定手段は、複数のフレーム送信間隔値から前記値を選択するための選択手段を含むことができる。
【００３７】
複数のフレーム送信値は、複数の予め定められた値からなるものとすることができる。
【００３８】
決定手段は、ネットワークアクセスポイントとユーザ機器との間のインタフェースにおける何れの値からも独立して作動するものとすることができる。
【００３９】
決定手段は、確立されるべき通信セッションの特性に依存するものとすることができる。
【００４０】
ネットワークアクセスコントローラは、ネットワークアクセスポイントから決定された値に優先するデフォルトフレーム送信間隔値の通知を受信するための受信手段をさらに備えることができる。
【００４１】
本発明は、その配置において、ネットワークアクセスポイントとネットワークアクセスコントローラとを含むモバイル通信システムを提供するものであり、このシステムは、前記ネットワークアクセスコントローラと前記ネットワークアクセスポイントとの間のチャネルについてのフレーム送信間隔を決定するように適合しており、前記ネットワークアクセスコントローラは、フレーム送信間隔値を決定するための決定手段と、前記決定されたフレーム送信間隔を前記ネットワークアクセスポイントへ送信するための送信手段とを備え、前記ネットワークアクセスポイントは、前記チャネルについての少なくとも１つのデフォルトフレーム送信間隔値を格納するための格納手段と、前記チャネルについてのフレーム送信間隔値を受信するための受信手段と、前記受信したフレーム送信間隔値、又は、前記少なくとも１つのデフォルトフレーム送信間隔値のいずれかを選択的に適用するための選択手段とを備える。
【００４２】
上記決定手段は、複数のフレーム送信間隔値から前記値を選択するようにされている。
【００４３】
チャネルは、好ましくは、拡張ＤＣＨトランスポートチャネルである。
【００４４】
ＮＢＡＰプロトコルが使用される好適な実施形態においては、このＮＢＡＰプロトコルは、ネットワークアクセスコントローラとネットワークアクセスポイントとの間で使用されることになる。また、ＲＮＳＡＰプロトコルが使用される好適な実施形態においては、このＲＮＳＡＰプロトコルは、ネットワークアクセスコントローラ間で使用されることになる。
【００４５】
一般に、本発明のすべての実施形態に関連して、Iur（ユニット間レジスタ）インタフェースが含まれる場合には、ネットワークアクセスコントローラとネットワークアクセスポイントとの間の通信に際して、フレーム送信間隔が選択されることが依然として好ましい。付加的なネットワークアクセスコントローラは、好ましくは、ネットワークアクセスポイントの制御用ネットワークアクセスコントローラであり、同時に、他のＲＮＣは、そのネットワークアクセスポイントに付属するユーザ機器のサービスＲＮＣである。
【図面の簡単な説明】
【００４６】
【図１】本発明の実施形態が適用されるＵＭＴＳシステムの構成図である。
【図２】本発明の好適な実施形態に従ったフローチャートである。
【発明を実施するための形態】
【００４７】
本発明は、特定の例示シナリオを参照することにより、ここで説明される。特に、本発明は、ユニバーサルモバイル通信テレコミュニケーションズシステム（ＵＭＴＳ）の要素に関して説明される。
【００４８】
図１に、本発明の実施形態を理解するために必要なＵＭＴＳシステムのこれら要素を説明する。ＵＭＴＳシステムの実装は、当業者には、よく知られているであろう。したがって、このシステムについてここでは詳細に述べず、本発明の理解のために必要とされる要素を、十分なだけは開示及び記述する。
【００４９】
図１を参照すると、例示のＵＭＴＳシステムが、典型的に、モバイルスイッチングセンタ（ＭＳＣ）１０２と、サービスＧＰＲＳサポートノード（ＳＧＳＮ）１０４と、複数の無線ネットワークコントローラ（ＲＮＣ）１０６ａ、１０６ｂ、１０６ｃと、複数のノードＢである１０８ａ、１０８ｂ、１０８ｃと、ユーザ機器（ＵＥ）１１０とを含む。
【００５０】
当業技術において知られているように、ユーザ機器１１０は、ノードＢの１つ、例えば、Ｕuインタフェースとして当業技術において知られる無線インタフェース又は空中インタフェース１１２上のノードＢ（１０８ａ）に接続する。
【００５１】
各ノードＢは、Ｉubインタフェースを介して、ＲＮＣに接続されている。ＲＮＣ１０６ｂは、Ｉubインタフェース１１８ａ及び１１８ｂをそれぞれ介して、ノードＢ１０８ａ及び１０８ｂに接続し、そして、可能な限りの１又は複数の他のノードＢに接続する。ＲＮＣ１０６ｃは、Ｉubインタフェース１２２ａを介してノードＢ１０８ｃに接続し、そして、インタフェース１２２ｂといった１又は複数の他のＩubインタフェースを介して１又は複数の他のノードＢに接続する。ＲＮＣ１０６ａは、インタフェース１２０ａといった１又は複数のＩubインタフェースを介して１又は複数のノードＢに接続する。
【００５２】
ノードＢそれ自身は、Ｉurインタフェースを介して相互接続されている。図１には、ＲＮＣ１０６ａがＩurインタフェース１３０ａを介してＲＮＣ１０６ｂに接続され、そして、ＲＮＣ１０６ｂがＩurインタフェース１３０ｂを介してＲＮＣ１０６ｃに接続されていることが示されている。ＲＮＣ１０６ａ及び１０６ｃは、Ｉurインタフェースを介して同様に相互接続されている。
【００５３】
ＵＭＴＳシステムにおける各ＲＮＣは、Ｉuインタフェースを介して１又は複数のＭＳＣ又はＳＧＳＮに接続される。図１の例において、ＭＳＣ１０２は、それぞれのＩuインタフェース１１４ａ及び１１４ｂ介して、ＲＮＣ１０６ａ及び１０６ｂに接続され、ＳＧＳＮ１０４は、それぞれのＩuインタフェース１１４ａ、１１４ｂ及び１１４ｃを介して、ＲＮＣ１０６ａ、１０６ｂ及び１０６ｃに接続されている。
【００５４】
３ＧＰＰ  ＴＳＧ−ＲＡＮにおいて、新しい拡張ＤＣＨアップリンクトランスポートチャネルのための提案がなされた。その拡張ＤＣＨアップリンクトランスポートチャネルは、空中インタフェース又は無線インタフェースＵuにおけるユーザ機器からノードＢへのトランスポートトラフィックのための、そして、Ｉubインタフェース又はＩurインタフェース上のノードＢからＲＮＣへとＲＮＣ間とのトランスポートトラフィックのためのチャネルである。
【００５５】
本発明及びこれについての実施形態は、トラフィックがＩubインタフェース又はＩurインタフェース上で多様なフレーム送信間隔を伴って転送され得るような、拡張ＤＣＨアップリンクトランスポートチャネルに対する適合を提案する。以下にさらに記載されるように、好ましくは、Ｉubインタフェース又はＩurインタフェース上のフレーム送信間隔は、Ｕuインタフェース上の送信時間間隔からは独立している。
【００５６】
好適な実施形態において、トラフィックは、拡張ＤＣＨのために提案されているような２ｍｓの早いフレーム送信間隔値、又は、現在のＤＣＨ上で提案されているような１０ｍｓの遅いフレーム送信間隔値の何れかを伴って、Ｉubインタフェース又はＩurインタフェース上に転送される。しかしながら、本発明の原理は、何れの送信間隔値の選択にも適用可能である。そこから選択可能な複数の異なる値を与えることができ、あるいは、その範囲からは何れの値も選択可能であるような範囲を与えることができる。
【００５７】
本発明の好適な実施形態について、図２のフローチャートへの参照として、図１へのさらなる参照ととともに、以下に言及する。
【００５８】
最初の段階２０２において、無線ネットワークコントローラ１０６ｂといった無線ネットワークコントローラは、特定の通信セッションの拡張ＤＣＨアップリンクに対するフレーム送信間隔（ＦＴＩ）値又は送信時間間隔（ＴＴＩ）値を決定する。この値は、２又はそれより多くの取り得る値から選択される。
【００５９】
この無線ネットワークコントローラによるフレーム送信間隔の決定は、いくつかの方法により実現される。短いフレーム送信間隔は、当該要素の技術的制限のために、特定の無線ネットワークコントローラへの大きな目標を与える。このような無線ネットワークコントローラは、より長いフレーム送信間隔の方を選択する。例えば、特定のＲＮＣは、短いフレーム送信間隔を全く受け入れない場合があり、その場合には、常に、より長い送信間隔を選択することとなる。
【００６０】
ＲＮＣが短いフレーム送信間隔を提供することができる場合には、無線ネットワークコントローラは、通信セッションのための対応する無線ベアラ（bearer）の要求、及び／又は、例えば２ｍｓから１０ｍｓなどの、短い値からより長い値へのフレーム送信間隔値のダウングレードを行うかどうかの決定において通信が確立されるユーザを考慮することもできる。
【００６１】
多種多様なトラフィックが、Ｅ−ＤＣＨ上に転送される。いくつかのトラフィックは、できる限り短い遅延を要求し、同時に、別のトラフィックにおいては、例えば１０ｍｓの遅延といった、「通常の」ＤＣＨ（拡張ＤＣＨというよりは）遅延を許容することができる。
【００６２】
アップリンクにおけるトラフィック要求に従い、無線ネットワークコントローラは、Ｉubインタフェース及びＩurインタフェースに対して、より短い又はより長いフレーム送信間隔を選択することができる。例えば、短いインターバルにおいてかなり多くの中断が生成されることにより、より短いインターバルは、一般的に、より長いインターバルを伴った対応Ｅ−ＤＣＨよりも多くのリソースを消費するので、トラフィックによる要求時に短いインターバルのみを使用することによって、無線ネットワークコントローラリソースを格納することができる。
【００６３】
フレーム送信間隔の決定は、利用可能なフレーム送信間隔の中の選択に基づいている。好適な実施形態においては、２ｍｓ間隔から１０ｍｓ間隔の間の選択となる。しかしながら、本発明は、かかる選択に限定されるものではなく、一組となった他の値の間、又は、特定の範囲内からの選択であってもよい。
【００６４】
段階２０４において、無線ネットワークコントローラは、好ましくは、適切なノードＢへの送信のために、ノードＢアプリケーション部分（ＮＢＡＰ）における決定されたフレーム送信間隔に対応する値を挿入する。好ましくは、新しいパラメータは、ＮＢＡＰメッセージのＥ−ＤＣＨ情報ＩＥ（情報要素）グループにおいて定義される。この新しいパラメータにより、無線ネットワークコントローラによって決定されたフレーム送信インターバル値をＮＢＡＰメッセージにおいて表すことができる。このパラメータは、好ましくは、「アップリンク・フレームパラメータ・インターバル」に対応する「ＵＬ  ＦＰ  インターバル」パラメータと呼ばれる。このパラメータは、パラメータの現実の値、又は、その値を表すコードである。例えば、選択が値２ｍｓ及び１０ｍｓの間にある場合、そのパラメータは、取り得る各値のそれぞれを意味する「０」又は「１」である。そのパラメータは、好ましくは、Ｉubインタフェース及びＩurインタフェース上のフレーム送信間隔を定義する。
【００６５】
一般的に、選択されたフレーム送信間隔値は、所定の何れかのＥ−ＤＣＨをセットアップするために無線ネットワークコントローラからノードＢへ信号通知されるメッセージにおいて、信号通知される。
【００６６】
そして、段階２０６において、メッセージは、例えばＲＮＣ１０６ｂのような無線ネットワークコントローラから、例えばノードＢ１０８ａのようなノードＢへの、Ｉubインタフェース上に送信される。
【００６７】
段階２０８において、メッセージはノードＢによって受信され、そして、ＮＢＡＰメッセージのＥ−ＤＣＨ情報ＩＥグループが受信される。そうして、段階２１０によって表したように、無線ネットワークコントローラによって送信されるフレーム送信間隔値は、ノードＢによって検索される。
【００６８】
このようにして、ノードＢは、無線ネットワークコントローラによって決定されたフレーム送信間隔値を通知され、そして、通信リンクの両端は、通信を確立するために必要な情報を有することとなる。
【００６９】
そして、段階２１２において、ノードＢは、受信したフレーム送信間隔値をＥ−ＤＣＨアップリンクトラフィックに適用するか否かを判断する。一実施形態において、ノードＢは、無線ネットワークコントローラから受信した値を自動的に使用するのに適合している。かかる実施形態においては、段階２１４において、この受信されたフレーム送信間隔が適用される。本実施形態において、適用されたフレーム送信間隔値は無線ネットワークコントローラによって単独で決定され、そして、無線ネットワークコントローラに利用可能な情報に依存することとなる。
【００７０】
他の実施形態において、ノードＢは、無線ネットワークコントローラによって提供された値の妥当性に接近するのに適合する。無線ネットワークコントローラは、それが取扱い可能な最善の値を伴ってノードＢを提供することを求められている。このように、無線ネットワークコントローラによってサポートできない値の設定を回避するために、ノードＢは、好ましくは、無線ネットワークコントローラから受信されたフレーム送信間隔の値をアップグレードすることには適合しない。しかし、代替的な配置において、ノードＢは、無線ネットワークコントローラによってセットされた値をアップグレードすることができる。
【００７１】
しかしながら、さらなる実施形態によれば、ノードＢは、フレーム送信間隔の値がその無線ネットワークコントローラによってセットされた値からダウングレードされるべきか否かを判断するのに適合する。
【００７２】
ノードＢは、対応する無線ベアラ（bearer）の要求、及び／又は、その値をダウングレードすべきか否かの決定におけるユーザを考慮することができる。多種多様なトラフィックが、Ｅ−ＤＣＨ上に転送される。いくつかのトラフィックは、できる限り短い遅延を要求し、同時に、他のトラフィックにおいては、「通常の」ＤＣＨ（拡張ＤＣＨではない）遅延を許容することができる。
【００７３】
好ましくは、フレーム送信間隔値の決定をさらに拡張するために、ノードＢは無線ネットワークコントローラが利用できない情報を使用する。
【００７４】
もし、ノードＢが、値をダウングレードすべきであると判断したならば、段階２１６において新しい値がセットされる。この新しい値は、計算された、異なる値であるが、好適な実施形態においては、この新しい値は好ましくは固定のデフォルト値である。フレーム送信間隔の取り得る値が２ｍｓ及び１０ｍｓの場合の例において、もし無線ネットワークコントローラが１０ｍｓの値をセットすると、ノードＢは、好ましくは、これを変更することを考慮しない。もし、無線ネットワークコントローラが２ｍｓの値をセットすると、好ましくは、ノードＢは、この値の変更を考慮するが、その変更値は、代替値であってダウングレードされた１０ｍｓの値に変更可能な唯一の取り得る値である。代替的な配置においては、間の選択をとるための複数のデフォルト値が存在する。好ましくは、少なくとも１つのデフォルト値がノードＢによって格納されている。
【００７５】
ノードＢが段階２１６において新しい値を決定するという仮定のもとに、段階２１４においてその新しい値が適用される。
【００７６】
そして段階２１８において、ノードＢは、選択された新しい値をＮＢＡＰ返答又は応答メッセージのＥ−ＤＣＨ部分に挿入し、無線ネットワークコントローラへ送信される。一例として、この返答又は応答メッセージは、非同期セットアップの場合においては無線リンク再構成応答であり、或いは、同期セットアップの場合においては無線リンク再構成準備応答である。
【００７７】
応答又は返答メッセージは、好ましくは、無線ネットワークコントローラから受信されるＥ−ＤＣＨセットアップメッセージに依存する。この応答メッセージは、好ましくは、特定のセットアップメッセージに対する定義済の応答メッセージである。
【００７８】
一般的には、無線ネットワークコントローラは、セットアップメッセージをノードＢに送信し、ノードＢは適切な応答メッセージを無線ネットワークコントローラに送信する。この２つの要素間での通信に必要な何れの値も、適当なメッセージの適当なフィールドに挿入することができる。
【００７９】
そして、段階２２０において、無線ネットワークコントローラは、無線ネットワークコントローラへの適当なＮＢＡＰ返答メッセージを送信する。
【００８０】
段階２２２において、無線ネットワークコントローラは、ＮＢＡＰ返答メッセージを受信し、そして、段階２２４において、ノードＢによって含まれるフレーム送信間隔値を検索する。
【００８１】
一実施形態において、ノードＢは、変更値又は無線ネットワークコントローラによって最初に設定された値となる、応答メッセージにおいて適用された値を常に含むことができる。他の実施形態においては、そのノードＢは、無線ネットワークコントローラによって最初に設定されたその値が変更されたかどうかの値を含むだけの場合がある。
【００８２】
そして、段階２２６において、必要であれば、無線ネットワークコントローラはノードＢによってセットされた何れかの新しい値を適用する。
【００８３】
本発明の実施形態によれば、このように、両方の要素において識別された要求に依存し、無線インタフェースにおいて使用される値から独立した、複数の取り得る値から選択又は決定するためにノードＢと無線ネットワークコントローラとの間のアップリンクにおいて使用される最適なフレーム送信間隔率を与える、好適に提供される技術が存在する。
【００８４】
Ｉubインタフェース及びＩurインタフェース上のフレーム送信間隔の選択は、無線インタフェース上のフレーム送信間隔から独立しうる。たとえ、無線インタフェースが２ｍｓのフレーム送信間隔を有していたとしても、Ｉubインタフェース及びＩurインタフェース上のフレーム送信間隔は、より長くなる。そのような場合において、Ｅ−ＤＣＨフレームは、無線インタフェースにおいて複数のフレームで転送されるデータを搬送することができる。例えば、もし、無線インタフェースフレーム送信間隔が２ｍｓであり、Ｉubインタフェースフレーム送信間隔が１０ｍｓであったならば、Ｅ＿ＤＣＨフレームは、そのデータが利用可能ならば５＊２ｍｓのデータを搬送する。
【００８５】
一般的に、ノードＢは、ユーザ機器又はモバイル端末といったユーザ端末がネットワークにアクセスするポイントである、ネットワークアクセスポイントと考えることができる。一般に、無線ネットワークコントローラは、ネットワークアクセスを制御する要素であるネットワークアクセスコントローラと考えることができる。
【００８６】
本発明は、特定の非限定的実例への参照としてここに記載された。当業者であれば、本発明の一般適用範囲を理解できるであろう。本発明によって与えられる保護範囲は、添付の特許請求の範囲において規定される。
【符号の説明】
【００８７】
１０２  ＭＳＣ
１０４  ＳＧＳＮ
１０６  ＲＮＣ
１０８  ノードＢ
１１０  ＵＥ
【図１】
2010268523.tif 000003
【図２】
2010268523.tif 000004